(57)【要約】      （修正有）【課題】所定の刺激によって、色調が安定的かつ大きく変化し、所定の刺激の検出感度、検出精度に優れたゲルセンサーを提供する。【解決手段】ゲルセンサー１０は、刺激応答性ゲルを含む材料で構成された第１の領域１と、前記第１の領域よりも高い含有率で微粒子を含む第２の領域２とを備えることを特徴とする。前記第１の領域は、前記微粒子を含まないものであるのが好ましい。ゲルセンサーは、検体の移動方向について、前記第２の領域よりも上流側に設けられた前記第１の領域を有するものであり、当該第１の領域の前記上流側の面の面積をＳ１［ｍｍ２］、当該第１の領域に対向する側の前記第２の領域の面の面積をＳ２［ｍｍ２］としたとき、Ｓ２≦Ｓ１の関係を満足するのが好ましい。【選択図】図１
2016045171.tif 000002
【特許請求の範囲】
【請求項１】
刺激応答性ゲルを含む材料で構成された第１の領域と、
前記第１の領域よりも高い含有率で微粒子を含む第２の領域とを備えることを特徴とするゲルセンサー。
【請求項２】
前記第１の領域および前記第２の領域は、いずれも層状をなすものであり、これらが積層されている請求項１に記載のゲルセンサー。
【請求項３】
前記第１の領域よりも観察者の視点側に配された前記第２の領域を有している請求項１または２に記載のゲルセンサー。
【請求項４】
層状の前記第１の領域および前記第２の領域をそれぞれ複数有し、これらが積層されている請求項１ないし３のいずれか１項に記載のゲルセンサー。
【請求項５】
前記微粒子の含有率が互いに異なる複数の前記第２の領域を有する請求項４に記載のゲルセンサー。
【請求項６】
前記第２の領域は、前記微粒子の含有率が傾斜的に変化する部位を有するものである請求項１ないし５のいずれか１項に記載のゲルセンサー。
【請求項７】
前記第２の領域は、前記微粒子の含有率が段階的に変化する部位を有するものである請求項１ないし６のいずれか１項に記載のゲルセンサー。
【請求項８】
ゲルセンサーがシート状をなすものであり、
前記第２の領域が、ゲルセンサーの面内の異なる部位において、異なる厚さの部位に設けられている請求項１ないし７のいずれか１項に記載のゲルセンサー。
【請求項９】
前記第１の領域は、前記微粒子を含まないものである請求項１ないし８のいずれか１項に記載のゲルセンサー。
【請求項１０】
ゲルセンサーは、検体の移動方向について、前記第２の領域よりも上流側に設けられた前記第１の領域を有するものであり、当該第１の領域の前記上流側の面の面積をＳ１［ｍｍ２］、当該第１の領域に対向する側の前記第２の領域の面の面積をＳ２［ｍｍ２］としたとき、Ｓ２≦Ｓ１の関係を満足する請求項１ないし９のいずれか１項に記載のゲルセンサー。
【請求項１１】
層状の前記第２の領域の両面側に、それぞれ、第１の領域が設けられている請求項１ないし１０のいずれか１項に記載のゲルセンサー。
【請求項１２】
ゲルセンサーについての検体の供給源側の面とは反対の面側に、検体を吸収する吸収部材を備えている請求項１ないし１１のいずれか１項に記載のゲルセンサー。
【発明の詳細な説明】
【技術分野】
【０００１】
本発明は、ゲルセンサーに関する。
【背景技術】
【０００２】
微粒子を含み、所定の刺激に反応することにより、膨張、収縮して、色調が変化する高分子ゲル（刺激応答性ゲル）は、医療機器や、光学素子材料等、幅広い分野への利用が期待されている。
【０００３】
このような刺激応答性ゲルでは、ブラッグ反射を得るために、微粒子が規則的に配列している必要がある。
【０００４】
したがって、単に、刺激応答性ゲルを構成する高分子材料（またはそのモノマー等の構成単位）と微粒子とを含む混合物を用いてゲルを形成した場合には、微粒子の配列の規則性が低いものとなり、所定の刺激を受けた場合であっても、色調の変化が不十分であった。
【０００５】
ところで、特許文献１には、水系媒体に粒子を分散させた分散液を逆浸透法により濃縮し、この濃縮液を、粒子が規則的に配列した粒子配列体として用いることについての開示がある（特許文献１の特許請求の範囲、段落番号００１４参照）。また、特許文献１には、粒子配列体において、濃縮水系媒体をゲル状にすることにより、粒子を固定化した固定粒子配列体とすることについての開示もある（特許文献１の段落番号００３４、００３５参照）。
【０００６】
特許文献１に記載の方法を採用することにより、刺激応答性ゲルが刺激を受けた際の色調の変化の程度をある程度は大きくすることができる。
【０００７】
しかしながら、特許文献１に記載の方法では、濃縮状態で、所定の割合で水系媒体を含み、流動性を有するものであるため、この状態において、粒子の配列状態が変化し、乱れることがある。したがって、刺激応答性ゲルが刺激を受けた際の色調の変化の程度を十分に大きくすることが困難であり、また、色調の変化の程度を安定的に大きいものとすることができない。
【先行技術文献】
【特許文献】
【０００８】
【特許文献１】特開２０１０−１３９５２３号公報
【発明の概要】
【発明が解決しようとする課題】
【０００９】
本発明の目的は、所定の刺激によって、色調が安定的かつ大きく変化し、所定の刺激の検出感度、検出精度に優れたゲルセンサーを提供することにある。
【課題を解決するための手段】
【００１０】
このような目的は、下記の本発明により達成される。
本発明のゲルセンサーは、刺激応答性ゲルを含む材料で構成された第１の領域と、
前記第１の領域よりも高い含有率で微粒子を含む第２の領域とを備えることを特徴とする。
【００１１】
これにより、所定の刺激によって、色調が安定的かつ大きく変化し、所定の刺激の検出感度、検出精度に優れたゲルセンサーを提供することができる。
【００１２】
本発明のゲルセンサーでは、前記第１の領域および前記第２の領域は、いずれも層状をなすものであり、これらが積層されていることが好ましい。
【００１３】
本発明のゲルセンサーでは、前記第１の領域よりも観察者の視点側に配された前記第２の領域を有していることが好ましい。
【００１４】
本発明のゲルセンサーでは、層状の前記第１の領域および前記第２の領域をそれぞれ複数有し、これらが積層されていることが好ましい。
【００１５】
本発明のゲルセンサーでは、前記微粒子の含有率が互いに異なる複数の前記第２の領域を有することが好ましい。
【００１６】
本発明のゲルセンサーでは、前記第２の領域は、前記微粒子の含有率が傾斜的に変化する部位を有するものであることが好ましい。
【００１７】
本発明のゲルセンサーでは、前記第２の領域は、前記微粒子の含有率が段階的に変化する部位を有するものであることが好ましい。
【００１８】
本発明のゲルセンサーでは、ゲルセンサーがシート状をなすものであり、
前記第２の領域が、ゲルセンサーの面内の異なる部位において、異なる厚さの部位に設けられていることが好ましい。
【００１９】
本発明のゲルセンサーでは、前記第１の領域は、前記微粒子を含まないものであることが好ましい。
【００２０】
本発明のゲルセンサーは、検体の移動方向について、前記第２の領域よりも上流側に設けられた前記第１の領域を有するものであり、当該第１の領域の前記上流側の面の面積をＳ１［ｍｍ２］、当該第１の領域に対向する側の前記第２の領域の面の面積をＳ２［ｍｍ２］としたとき、Ｓ２≦Ｓ１の関係を満足することが好ましい。
【００２１】
本発明のゲルセンサーでは、層状の前記第２の領域の両面側に、それぞれ、第１の領域が設けられていることが好ましい。
【００２２】
本発明のゲルセンサーでは、ゲルセンサーについての検体の供給源側の面とは反対の面側に、検体を吸収する吸収部材を備えていることが好ましい。
【図面の簡単な説明】
【００２３】
【図１】第１実施形態のゲルセンサーを説明するための模式的な縦断面図である。
【図２】第２実施形態のゲルセンサーを説明するための模式的な縦断面図である。
【図３】第３実施形態のゲルセンサーを説明するための模式的な縦断面図である。
【図４】第４実施形態のゲルセンサーを説明するための模式的な縦断面図である。
【発明を実施するための形態】
【００２４】
以下、添付する図面を参照しつつ、本発明の好適な実施形態について詳細な説明をする。
【００２５】
《ゲルセンサー》
以下、ゲルセンサーについて説明する。
【００２６】
［第１実施形態］
まず、第１実施形態のゲルセンサーについて説明する。
【００２７】
図１は、第１実施形態のゲルセンサーを説明するための模式的な縦断面図である。なお、以下の説明では、図１中の上側を観察者側（視点側）として説明する（後に説明する図２〜図４についても同様）。また、図中の矢印は、検体の移動方向を示す（後に説明する図２〜図４についても同様）。
【００２８】
ゲルセンサー１０は、刺激応答性ゲルを含む材料で構成された第１の領域１と、第１の領域１に接触して設けられ、第１の領域１よりも高い含有率で微粒子２１を含む第２の領域２とを備えるものである。
【００２９】
第１の領域１を構成する刺激応答性ゲルは、所定の刺激に対して膨張・収縮の反応をするものである。
【００３０】
刺激応答性ゲルが反応する所定の刺激は、刺激応答性ゲルの構成材料等により異なるが、例えば、タンパク質、糖、尿酸、乳酸、各種ホルモン、各種イオン物質、各種金属等の各種物質や、熱、光等が挙げられる。
【００３１】
また、第２の領域２は、複数個の微粒子２１が高い規則性で配列したものであり、ブラッグ反射による構造色の発現に寄与するものである。
【００３２】
そして、第２の領域２は、第１の領域１を構成する刺激応答性ゲルの変形（膨張・収縮）に伴い、各微粒子２１間の距離が変化するように構成されている。その結果、第１の領域１を構成する刺激応答性ゲルの変形（膨張・収縮）に伴って、第２の領域２による構造色も変化するように構成されている。
【００３３】
上記のように、ゲルセンサー１０が、所定の刺激に対して反応する刺激応答性ゲル（第１の領域１の構成成分）と、ブラッグ反射による構造色の発現に寄与する微粒子２１とを含むものであることにより、前記刺激の有無、強さ（量、濃度）等を検出することができる。
【００３４】
特に、第１の領域１と第２の領域２とを有するゲルセンサー１０では、微粒子２１の不本意な流動によって微粒子２１の配列が乱れてしまうことを抑制することができ、所定の刺激によって、色調が安定的かつ大きく変化するものとすることができる。その結果、所定の刺激の検出感度、検出精度を優れたものとし、ゲルセンサー１０は、信頼性に優れたものとなる。
【００３５】
なお、第１の領域１および第２の領域２の構成材料については、後に詳述する。
第１の領域１および第２の領域２の形状は、特に限定されないが、図示の構成では、いずれも層状をなすものであり、これらが積層されている。
【００３６】
これにより、ゲルセンサー１０の薄型化を図りつつ、第１の領域１と第２の領域２との密着性を優れたものとし、ゲルセンサー１０の耐久性を特に優れたものとすることができる。また、ゲルセンサー１０の大型化を防ぎつつ、視認することのできる面積を大きくすることができるため、所定の刺激の検出をより容易に行うことができる。
【００３７】
また、第１の領域１の形状の変化の影響を、より効果的に第２の領域２に反映させることができ、所定の刺激の検出感度、検出精度を特に優れたものとすることができる。
【００３８】
第１の領域１の厚さは、２０μｍ以上５０００μｍ以下であるのが好ましく、５０μｍ以上４０００μｍ以下であるのがより好ましい。
【００３９】
これにより、ゲルセンサー１０の形状の安定性、耐久性、信頼性を特に優れたものとしつつ、所定の刺激に対する変形の反応速度を速いものとすることができる。
【００４０】
第２の領域２の厚さは、０．０３μｍ以上３０μｍ以下であるのが好ましく、０．１μｍ以上１５μｍ以下であるのがより好ましい。
【００４１】
これにより、ゲルセンサーの厚型化を抑制しつつ、ゲルセンサー１０の耐久性を特に優れたものとし、さらには、ブラッグ反射による構造色の識別がより容易となる。
【００４２】
また、本実施形態では、第１の領域１よりも観察者の視点側（図中上側）に配された第２の領域２を有している。
【００４３】
これにより、第２の領域２における構造色の変化をより好適に検出することができ、所定の刺激の検出感度、検出精度を特に優れたものとすることができる。
【００４４】
また、本実施形態では、ゲルセンサー１０は、検体の移動方向（図中の矢印の方向）について、第２の領域２よりも上流側に設けられた第１の領域１を有するものであり、当該第１の領域１についての検体の上流側の面（第１の面）１１の面積をＳ１［ｍｍ２］、当該第１の領域１に対向する側の第２の領域２の面（第２の面）２２の面積をＳ２［ｍｍ２］としたとき、Ｓ２≦Ｓ１の関係を満足するのが好ましく、１．２≦Ｓ１／Ｓ２≦５．０の関係を満足するのがより好ましく、１．５≦Ｓ１／Ｓ２≦３．０の関係を満足するのがさらに好ましい。
【００４５】
このような関係を満足することにより、ゲルセンサー１０の形状の安定性、耐久性等を特に優れたものとしつつ、第１の面１１側から取り込まれた検体を、効率よく第２の領域２に供給することができる。その結果、所定の刺激の検出感度、検出精度を特に優れたものとすることができ、ゲルセンサー１０の信頼性は特に優れたものとなる。
【００４６】
なお、上記のような面積の関係は、刺激応答性ゲルが所定の刺激を受けていない状態（例えば、刺激応答性ゲルが特定の成分に反応して変形するものである場合、刺激応答性ゲルが当該特定の成分を含まない状態）において、満足するものであるのが好ましい。
【００４７】
また、本実施形態のゲルセンサー１０は、検体の供給源側（図中下側）の面とは反対の面側に、検体を吸収する吸収部材３を備えている。
【００４８】
これにより、例えば、検体が順次供給される場合（連続的または断続的に供給される場合）に、先に供給されていた検体を刺激応答性ゲルを含む領域（第１の領域１）から効率よく排出し、新たに供給された検体を刺激応答性ゲルを含む領域（第１の領域１）に供給することができるため、経時的な刺激量の変化を知ることができる。すなわち、先に供給されていた検体と、新たに供給された検体とが混合し、正確な刺激量の検出が妨害されてしまうことを効果的に抑制することができる。また、過剰の検体が供給された場合等に、溢れ出した検体により、ゲルセンサー１０が過剰に濡れてしまうこと等を抑制することができる。
【００４９】
また、吸収部材３を有することにより、例えば、液状の検体の供給が停止した場合や検体の供給量が著しく低下した場合、ゲルセンサー１０の使用環境が低湿度である場合等に、刺激応答性ゲルの乾燥を効果的に抑制することができる。その結果、刺激応答性ゲルが乾燥しやすい環境下においても、比較的長時間にわたって、高い信頼性で所定の刺激の検出を安定的に行うことができる。
【００５０】
特に、図示の構成では、吸収部材３は、第２の領域２の全面を覆うように設けられている。
これにより、前述したような効果をより顕著に発揮させることができる。
【００５１】
吸収部材３の好ましい構成成分としては、例えば、セルロース材料や吸水性ポリマー等が挙げられるが、セルロース材料が特に好ましい。このような材料は、適度な親水性を有しているため、例えば、検体が水を含むもの（例えば、汗等の体液）である場合、検体を好適に吸収するとともに、吸収した検体中に含まれる水を好適に蒸発させることができる。
【００５２】
吸収部材３の厚さは、０．１ｍｍ以上２．０ｍｍ以下であるのが好ましく、０．２ｍｍ以上１．５ｍｍ以下であるのがより好ましい。
【００５３】
これにより、構造色の視認性を確保しつつ、前述したような吸収部材３を備えることによる効果がより顕著に発揮される。
【００５４】
ゲルセンサー１０を構成する各領域は、それぞれ、均一な構成を有するものであってもよいし、構成の異なる複数の部位を有するものであってもよい。
【００５５】
例えば、第２の領域２は、微粒子２１の含有率が傾斜的に変化する部位を有するものであってもよい。
【００５６】
これにより、色変化がゲル内で傾斜的に起こるため、刺激物質の分泌状況の経時変化を把握することができる。
【００５７】
また、例えば、第２の領域２は、微粒子２１の含有率が段階的に変化する部位を有するものであってもよい。
【００５８】
これにより、例えば、刺激量変化の許容値などが複数の閾値を持っている場合、所定の刺激の発生レベルを段階的に識別することができる。より具体的には、例えば、所定の刺激が体液に含まれる成分（特定成分）であり、ゲルセンサー１０がこの特定成分を検出するものである場合に、この特定成分の含有率が、「危険レベル」、「注意レベル」、「安心レベル」のいずれのレベルに含まれるものであるかを、容易に識別することができ、ゲルセンサー１０の使用者の体調管理をより好適に行うことができる。
【００５９】
ゲルセンサー１０を平面視した際に、第２の領域２が設けられている部位の面積は、１０ｍｍ２以上３６０ｍｍ２以下であるのが好ましく、２０ｍｍ２以上１８０ｍｍ２以下であるのがより好ましい。
【００６０】
これにより、ゲルセンサー１０の大型化をより効果的に抑制しつつ、所定の刺激の検出をより容易にかつより高い精度で行うことができる。
【００６１】
ゲルセンサー１０の厚さは、０．２ｍｍ以上７．０ｍｍ以下であるのが好ましく、０．３ｍｍ以上５．５ｍｍ以下であるのがより好ましい。
【００６２】
これにより、ゲルセンサー１０の大型化（厚型化）を効果的に抑制しつつ、ゲルセンサー１０の強度、耐久性を特に優れたものとすることができる。また、所定の刺激の検出をより容易にかつより高い精度で行うことができる。
【００６３】
＜第１の領域の構成材料＞
次に、第１の領域１の構成材料について説明する。
第１の領域１は、刺激応答性ゲルを含む材料で構成されたものである。
【００６４】
刺激応答性ゲルは、所定の刺激に対して反応するものであれば、いかなる材料で構成されたものであってもよいが、通常、架橋構造を有する高分子材料と、溶媒とを含む材料で構成されたものである。
【００６５】
（高分子材料）
刺激応答性ゲルは、架橋構造を有する高分子材料を含むものである。
【００６６】
高分子材料は、刺激応答性ゲルが特定の成分を検出するうえで重要な成分であり、その構造は、検出すべき成分の種類によって異なる。
【００６７】
刺激応答性ゲルを構成する高分子材料は、特に限定されず、検出すべき成分によって、選択することができる。
【００６８】
また、刺激応答性ゲルにおいて特定成分を検出する高分子材料としては、種々のものが知られており、例えば、このような公知の高分子材料も用いることができる。
【００６９】
以下、刺激応答性ゲルを構成する高分子材料の具体例について説明する。
刺激応答性ゲルを構成する高分子材料としては、例えば、単量体（モノマー）、重合開始剤、架橋剤等を反応させることにより得られたものを用いることができる。
【００７０】
単量体としては、例えば、アクリルアミド、Ｎ−メチルアクリルアミド、Ｎ−イソプロピルアクリルアミド、Ｎ，Ｎ−ジメチルアクリルアミド、Ｎ，Ｎ−ジメチルアミノプロピルアクリルアミド、Ｎ，Ｎ−ジメチルアミノプロピルアクリルアミド各種四級塩、アクリロイルモルホリン、Ｎ，Ｎ−ジメチルアミノエチルアクリレート各種四級塩、アクリル酸、各種アルキルアクリレート、メタクリル酸、各種アルキルメタクリレート、２−ヒドロキシエチルメタクリレート、グリセロールモノメタクリレート、Ｎ−ビニルピロリドン、アクリロニトリル、スチレン、ポリエチレングリコールジアクリレート、１，６−ヘキサンジオールジアクリレート、ネオペンチルグリコールジアクリレート、トリプロピレングリコールジアクリレート、ポリプロピレングリコールジアクリレート、２，２−ビス〔４−（アクリロキシジエトキシ）フェニル〕プロパン、２，２−ビス〔４−（アクリロキシポリエトキシ）フェニル〕プロパン、２−ヒドロキシ−１−アクリロキシ−３−メタクリロキシプロパン、２，２−ビス〔４−（アクリロキシポリプロポキシ）フェニル〕プロパン、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２−ヒドロキシ−１，３−ジメタクリロキシプロパン、２，２−ビス〔４−（メタクリロキシエトキシ）フェニル〕プロパン、２，２−ビス〔４−（メタクリロキシエトキシジエトキシ）フェニル〕プロパン、２，２−ビス〔４−（メタクリロキシエトキシポリエトキシ）フェニル〕プロパン、トリメチロールプロパントリメタクリレート、テトラメチロールメタントリメタクリレート、トリメチロールプロパントリアクリレート、テトラメチロールメタントリアクリレート、テトラメチロールメタンテトラアクリレート、ジペンタエリスリトールヘキサアクリレート、Ｎ，Ｎ’−メチレンビスアクリルアミド、Ｎ，Ｎ’−メチレンビスメタクリルアミド、ジエチレングリコールジアリルエーテル、ジビニルベンゼン等が挙げられる。
【００７１】
また、糖と相互作用可能な官能基としては、例えば、ボロン酸基（特に、フェニルボロン酸基）が挙げられるため、ボロン酸基を有する単量体を用いてもよい。このようなボロン酸基含有モノマーとしては、例えば、アクリロイルアミノベンゼンボロン酸、メタクリロイルアミノベンゼンボロン酸、４−ビニルベンゼンボロン酸等が挙げられる。
【００７２】
また、イオン物質（特に、カルシウムイオンを含むもの）を特定成分として検出する場合には、単量体として、４−アクリルアミドベンゾ１８−クラウン−６−エーテル、アクリロイルアミノベンゾクラウンエーテル、メタクリロイルアミノベンゾクラウンエーテル、４−ビニルベンゾクラウンエーテル等のクラウンエーテル基含有モノマー（特に、ベンゾクラウンエーテル基含有モノマー）を好適に用いることができる。
【００７３】
また、塩化ナトリウム等のイオン物質を特定成分として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、塩化ナトリウム等のイオン物質を特定成分として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【００７４】
また、乳酸を特定成分として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、乳酸を特定成分として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【００７５】
重合開始剤としては、例えば、その重合様式によって、適宜選択することができるが、具体的には、過酸化水素、過硫酸塩、例えば過硫酸カリウム、過硫酸ナトリウム、過硫酸アンモニウム等、アゾ系開始剤、例えば２，２’−アゾビス（２−アミジノプロパン）２塩酸塩、２，２’−アゾビス（Ｎ，Ｎ’−ジメチレンイソブチルアミジン）２塩酸塩、２，２’−アゾビス｛２−メチル−Ｎ−〔１，１，−ビス（ヒドロキシメチル）−２−ヒドロキシエチル〕プロピオンアミド｝、２，２’−アゾビス〔２−（２−イミダゾリン−２−イル）プロパン〕２塩酸塩、４，４’−アゾビス（４−シアノ吉草酸）、２，２’−アゾビスイソブチロニトリル、２，２’−アゾビス（２，４’−ジメチルバレロニトリル）、ベンゾフェノン、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、２，４，６−トリメチルベンゾイルジフェニルホスホンオキサイド、１−［４−（２−ヒドロキシエトキシ）−フェニル］−２−ヒドロキシ−２−メチル−１−プロパン−１−オン等の紫外光によってラジカルを発生する化合物、２，４−ジエチルチオキサントン、イソプロピルチオキサントン、１−クロロ−４−プロポキシチオキサントン、２−（３−ジメチルアミノ−２−ヒドロキシプロポキシ）−３，４−ジメチル−９Ｈ−チオキサントン−９−オンメソクロライド、２−メチル−１［４−（メチルチオ）フェニル］−２−モルホリノプロパン−１、２−ベンジル−２−ジメチルアミノ−１−（４−モルホリノフェニル）−ブタノン−１、ビス（シクロペンタジエニル）−ビス（２，６−ジフルオロ−３−（ピル−１−イル）チタニウム、１，３−ジ（ｔ−ブチルペルオキシカルボニル）ベンゼンや３，３’，４，４’−テトラ−（ｔ−ブチルペルオキシカルボニル）ベンゾフェノン等のパーオキシエステルに、チオピリリウム塩、メロシアニン、キノリン、スチルキノリン系色素を混合した物質等の３６０ｎｍ以上の波長の光によってラジカルを発生する化合物等が挙げられる。また、過酸化水素あるいは過硫酸塩は、例えば、亜硫酸塩、Ｌ−アスコルビン酸等の還元性物質やアミン塩等を組み合わせてレドックス系の開始剤としても使用することができる。
【００７６】
架橋剤としては、重合性官能基を２個以上有する化合物を用いることができ、具体的には、エチレングリコール、プロピレングリコール、トリメチロールプロパン、グリセリン、ポリオキシエチレングリコール、ポリオキシプロピレングリコール、ポリグリセリン、Ｎ，Ｎ’−メチレンビスアクリルアミド、Ｎ，Ｎ−メチレン−ビス−Ｎ−ビニルアセトアミド、Ｎ，Ｎ−ブチレン−ビス−Ｎ−ビニルアセトアミド、トリレンジイソシアネート、ヘキサメチレンジイソシアネート、アリル化デンプン、アリル化セルロース、ジアリルフタレート、テトラアリロキシエタン、ペンタエリストールトリアリルエーテル、トリメチロールプロパントリアリルエーテル、ジエチレングリコールジアリルエーテル、トリアリルトリメリテート等が挙げられる。
【００７７】
刺激応答性ゲルは、異なる複数種の高分子材料を含むものであってもよい。
刺激応答性ゲル中における高分子材料の含有率は、０．７質量％以上３６．０質量％以下であるのが好ましく、２．４質量％以上２７．０質量％以下であるのがより好ましい。
【００７８】
（溶媒）
刺激応答性ゲルが、溶媒を含むものであることにより、前述した高分子材料を好適にゲル化させることができる。
【００７９】
溶媒としては、各種有機溶媒や無機溶媒を用いることができ、より具体的は、例えば、水；メタノール、エタノール等の各種アルコール；アセトン等のケトン類；テトラヒドロフラン、ジエチルエーテル等のエーテル類；ジメチルホルムアミド等のアミド類；ｎ−ペンタン、ｎ−ヘキサン、ｎ−ヘプタン、ｎ−オクタン等の鎖状脂肪族炭化水素；シクロヘキサン、メチルシクロヘキサン等の脂環式炭化水素；ベンゼン、トルエン、キシレン等の芳香族類等が挙げられるが、特に、水を含むものであるのが好ましい。
【００８０】
刺激応答性ゲルは、溶媒として異なる複数種の成分を含むものであってもよい。
刺激応答性ゲル中における溶媒の含有率は、３０質量％以上９９質量％以下であるのが好ましく、５０質量％以上９５質量％以下であるのがより好ましい。
【００８１】
（その他の成分）
第１の領域１は、前述した以外の成分（その他の成分）を含むものであってもよい。
【００８２】
このような成分としては、例えば、酸化抑制剤、紫外線吸収剤、防かび剤、抗菌剤、消臭剤、清涼成分等が挙げられる。
【００８３】
なお、第１の領域１は、例えば、第２の領域２よりも低い含有率であれば微粒子２１を含むものであってもよいが、微粒子２１を含まないものであるのが好ましい。
【００８４】
これにより、第１の領域１において構造色（第２の領域２において発現する構造色に比して信頼性の低い構造色）が発現していまい、ゲルセンサー１０全体としての信頼性が低下してしまうことを抑制することができる。
【００８５】
＜第２の領域の構成材料＞
次に、第２の領域２の構成材料について説明する。
【００８６】
（微粒子）
第２の領域２は、複数個の微粒子２１を含む材料で構成されたものである。
微粒子２１は、ブラッグ反射による構造色の発現に寄与するものである。
【００８７】
微粒子２１の構成材料としては、シリカ、酸化チタン等の無機材料；ポリスチレン、ポリエステル、ポリイミド、ポリオレフィン、ポリ（メタ）アクリル酸メチル、ポリエチレン、ポリプロピレン、ポリエチレン、ポリエーテルスルフォン、ナイロン、ポリウレタン、ポリ塩化ビニル、ポリ塩化ビニリデン等の有機材料（ポリマー）等が挙げられるが、微粒子は、シリカ微粒子であるのが好ましい。これにより、微粒子の形状の安定性等を特に優れたものとし、刺激応答性ゲルの耐久性、信頼性等を特に優れたものとすることができる。また、シリカ微粒子は、粒度分布がシャープなもの（単分散微粒子）として入手が比較的容易であるため、刺激応答性ゲルの安定的な生産、供給の観点からも有利である。
【００８８】
微粒子２１の形状は、特に限定されないが、球状であるのが好ましい。これにより、コロイド結晶による構造色がより好適に視認され、特定成分の検出をより容易に行うことができる。
【００８９】
微粒子２１の平均粒子径は、特に限定されないが、１０ｎｍ以上１０００ｎｍ以下であるのが好ましく、２０ｎｍ以上５００ｎｍ以下であるのがより好ましい。
【００９０】
これにより、第１の領域１を構成する刺激応答性ゲルに特定成分が取り込まれた際、すなわち、第１の領域１の形状の変化（膨張・収縮）に伴い第２の領域２を構成する微粒子２１の粒子間距離が変化した際に、コロイド結晶による構造色がより容易に視認されるため、所定の刺激の検出・定量をさらに容易に行うことができる。
【００９１】
本明細書において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００９２】
第２の領域２は、異なる複数種の微粒子を含むものであってもよい。
第２の領域２中における微粒子２１の含有率は、５０．０質量％以上であるのが好ましく、６５．０質量％以上９８．０質量％以下であるのがより好ましい。
【００９３】
（その他の成分）
第２の領域２は、前述した以外の成分（その他の成分）を含むものであってもよい。
【００９４】
このような成分としては、例えば、酸化抑制剤、紫外線吸収剤、防かび剤、抗菌剤、消臭剤、清涼成分等が挙げられる。
また、第２の領域２は、刺激応答性ゲルを含むものであってもよい。
【００９５】
これにより、例えば、第１の領域１と第２の領域２との密着性を特に優れたものとすることができる。また、第１の領域１の変形（膨張・収縮）に伴う第２の領域２の変形が生じた際に、第２の領域２を構成する微粒子２１の一部が不本意に脱落することを効果的に抑制することができる。以上のようなことから、ゲルセンサー１０の耐久性、信頼性を特に優れたものとすることができる。
【００９６】
第２の領域２が刺激応答性ゲルを含むものである場合、当該刺激応答性ゲルは、第１の領域１の構成成分として説明した刺激応答性ゲルと同様の条件を満足するものであるのが好ましい。
【００９７】
なお、第２の領域２が刺激応答性ゲルを含むものである場合、当該刺激応答性ゲルは、第１の領域１を構成する刺激応答性ゲルと同一の組成を有するものであってもよいし、第１の領域１を構成する刺激応答性ゲルと異なる組成を有するものであってもよい。
【００９８】
第２の領域２中における刺激応答性ゲルの含有率（架橋構造を有する高分子材料と、溶媒との含有率の和）は、０．１質量％以上４０質量％以下であるのが好ましく、１．５質量％以上３３．０質量％以下であるのがより好ましい。
【００９９】
これにより、第１の領域１とは別に、第２の領域２を設けることによる前述したような効果がより顕著に発揮されるとともに、ゲルセンサー１０の耐久性を特に優れたものとすることができる。
【０１００】
また、以下に述べるような製造方法を採用することにより、第２の領域２中における刺激応答性ゲルの含有率が前記範囲内の値となるように好適に制御することができる。
【０１０１】
上述したようなゲルセンサー１０は、いかなる方法で製造してもよいが、例えば、刺激応答性ゲルを含む第１の材料、および、複数個の微粒子２１を含む第２の材料を用いて形成された膜を用意する第１の工程と、前記第１の材料と前記膜とを接触させ接合する第２の工程と、前記膜（第２の領域２）の前記第１の材料（第１の領域１）に対向する面２２とは反対の面側に、吸収部材３を設置する第３の工程（吸収部材設置工程）を有する方法を用いて製造することができる。
【０１０２】
これにより、所定の刺激によって、色調が安定的かつ大きく変化し、所定の刺激の検出感度、検出精度に優れたゲルセンサー１０を効率よく製造することができる。
【０１０３】
前記第１の材料としては、例えば、前述したような単量体等の成分を用いて高分子材料の合成を行うことにより製造されたシート状の刺激応答性ゲル材料を用いることができる。
【０１０４】
また、前記第１の材料としては、刺激応答性ゲルを調製した後、所定形状に成形したものを用いてもよい。
【０１０５】
前記膜としては、複数個の微粒子２１を含むものであればよく、いかなる方法で調整されたものを用いてもよいが、微粒子２１とこれを分散する分散媒とを含む分散液を用いて形成されたものであるのが好ましい。
【０１０６】
これにより、微粒子２１を含む第２の材料の取扱いのしやすさ（取扱い性）が優れたものとなり、ゲルセンサー１０の生産性を特に優れたものとすることができる。また、形成される前記膜中における微粒子２１の配列の規則性を容易に優れたものとすることができ、製造されるゲルセンサー１０についての所定の刺激の検出感度、検出精度を優れたものとすることができる。
【０１０７】
この場合、前記膜は、第２の材料中に含まれていた液体成分（分散媒）を含むものであってもよいが、その形成過程において、前記分散媒の少なくとも一部を除去することにより、微粒子２１が流動性を失ったものであるのが好ましい。
【０１０８】
これにより、前記膜の形状の安定性を優れたものとすることができ、後の第２の工程等における前記膜（第２の領域２）の不本意な変形等を効果的に抑制することができる。
【０１０９】
第２の材料中に含まれる液体成分（分散媒）を除去して前記膜を形成する方法としては、例えば、ディスペンサー等から供給した分散液をスキージー等の平坦化部材により平坦化し、その後乾燥する方法、インクジェット法等により分散液を吐出した後に乾燥する方法等が挙げられるが、移流集積法が特に好ましい。
【０１１０】
これにより、ゲルセンサー１０の生産性を優れたものとしつつ、形成される前記膜中における微粒子２１の配列の規則性を特に優れたものとすることができ、製造されるゲルセンサー１０についての所定の刺激の検出感度、検出精度をさらに優れたものとすることができる。
【０１１１】
また、微粒子２１の密度が高い膜を形成することができるため、膜の形状の安定性は特に優れたものとなる。その結果、後の第２の工程等における前記膜（第２の領域２）の不本意な変形等をより効果的に抑制することができる。また、第２の工程での押圧力をより大きいものとした場合であっても、第２の領域２における微粒子２１の配列状態に乱れが生じることが効果的に抑制されるため、前述した効果を得つつ、第１の領域１と第２の領域２との密着性等を特に優れたものとすることができ、ゲルセンサー１０の耐久性を特に優れたものとすることができる。
【０１１２】
なお、第２の材料は、微粒子２１を含むものであればよく、例えば、前述したような液体成分（分散媒）等の他の成分を含むものであってもよいが、刺激応答性ゲルを構成する高分子材料が含まれないものであるのが好ましい。これにより、形成される前記膜における微粒子２１の配列の規則性を特に高いものとすることができる。
【０１１３】
第２の工程において、前記第１の材料と前記膜とを接触させ、これらを接合することにより、第１の層１と第２の層２とを有する積層体が得られる。
【０１１４】
本工程では、前記第１の材料を構成するゲル材料の一部が、前記膜を構成する微粒子２１間の空間に埋入させてもよい。
【０１１５】
これにより、第１の領域１と第２の領域２との密着性（接合強度）を特に優れたものとし、ゲルセンサー１０の耐久性、信頼性を特に優れたものとすることができる。
【０１１６】
本工程は、加圧により好適に行うことができるが、接合時に加熱してもよい。これにより、例えば、前記第１の材料の粘度が低下し、前記第１の材料を構成するゲル材料の一部を、より好適に前記膜を構成する微粒子２１間の空間に埋入させることができる。また、押圧力を比較的小さくした場合であっても、ゲル材料を微粒子２１間の空間に埋入させることができるため、本工程において微粒子２１の配列の規則性に乱れが生じることを抑制することができる。
【０１１７】
第３の工程は、例えば、単に吸収部材３を第２の領域２の表面に載置することにより行うものであってもよいし、吸収部材３を第２の領域２に接着すること、融着すること等より行うものであってもよい。
【０１１８】
［第２実施形態］
次に、第２実施形態のゲルセンサーについて説明する。
【０１１９】
図２は、第２実施形態のゲルセンサーを説明するための模式的な縦断面図である。以下の説明では、前述した実施形態との相違点について中心的に説明し、同様の事項についての説明は省略する。
【０１２０】
図２に示すように、本実施形態のゲルセンサー１０では、第２の領域２を挟み込むように、第２の領域２の両面側に、それぞれ、第１の領域１（第１の領域１ａおよび第１の領域１ｂ）が設けられている。
このように、複数の第１の領域１が設けられていてもよい。
【０１２１】
このような構成であることにより、また、第１の領域１の変形（膨張・収縮）に伴う第２の領域２の変形が生じた際に、第２の領域２を構成する微粒子２１の一部が不本意に脱落することをより効果的に抑制することができる。また、第２の領域２における組成の不本意なばらつき（例えば、刺激応答性ゲルの含有率のばらつき等）をより効果的に抑制することができ、第１の領域１の変形（膨張・収縮）に伴う第２の領域２の変形量の不本意なばらつきの発生をより効果的に抑制することができる。以上のようなことから、ゲルセンサー１０の耐久性、信頼性を特に優れたものとすることができる。
【０１２２】
第２の領域２よりも下側（検体の供給側）に設けられた第１の領域１ａと、第２の領域２よりも上側（観察者の視点側）に設けられた第１の領域１ｂとは、同一の条件を満足するものであってもよいし、異なる条件のものであってもよい。
【０１２３】
［第３実施形態］
次に、第３実施形態のゲルセンサーについて説明する。
【０１２４】
図３は、第３実施形態のゲルセンサーを説明するための模式的な縦断面図である。以下の説明では、前述した実施形態との相違点について中心的に説明し、同様の事項についての説明は省略する。
【０１２５】
本実施形態のゲルセンサー１０は、層状の第１の領域１および第２の領域２をそれぞれ複数有し、これらが厚さ方向に交互に積層されている。すなわち、第１の領域１ａ、第２の領域２ａ、第１の領域１ｂおよび第２の領域２ｂが、検体の供給側から、この順序で配されている。
このように、第１の領域１のみならず、第２の領域２も複数設けられていてもよい。
【０１２６】
このような構成であることにより、刺激物の発生レベルを段階的に識別することができる。すなわち、複数の第２の領域２のうち、どの領域まで変化したかに応じて色調が変化するため、刺激の程度（強度、量等）を色調から判断することができる。
【０１２７】
ゲルセンサー１０が有する複数の第２の領域２は、いずれも、同一の条件を満足するものであってもよいし、互いに異なる条件のものであってもよい。
【０１２８】
例えば、ゲルセンサー１０は、微粒子２１の含有率が互いに異なる複数の第２の領域２を有するものであってもよい。
このような構成であることにより、前述と同様の効果が得られる。
【０１２９】
［第４実施形態］
次に、第４実施形態のゲルセンサーについて説明する。
【０１３０】
図４は、第４実施形態のゲルセンサーを説明するための模式的な縦断面図である。以下の説明では、前述した実施形態との相違点について中心的に説明し、同様の事項についての説明は省略する。
【０１３１】
本実施形態のゲルセンサー１０では、隔壁（壁部）４を有しており、これにより、第１の領域１および第２の領域２が重なり合うようにして設けられた部位が分画されており、第１の領域１および第２の領域２を備える複数のセルを有している。すなわち、本実施形態のゲルセンサー１０は、第１の領域１ａＡ、第２の領域２Ａおよび第１の領域１ｂＡがこの順に重なってなるセル（第１のセル）と、第１の領域１ａＢ、第２の領域２Ｂおよび第１の領域１ｂＢがこの順に重なってなるセル（第２のセル）と、第１の領域１ａＣ、第２の領域２Ｃおよび第１の領域１ｂＣがこの順に重なってなるセル（第３のセル）と、第１の領域１ａＤ、第２の領域２Ｃおよび第１の領域１ｂＤがこの順に重なってなるセル（第４のセル）とを有している。
【０１３２】
これにより、例えば、各セルでの構成を異なるものとすることにより、異なる条件での所定の刺激の検出が可能となる。例えば、異なる複数種の刺激（所定の刺激）の検出を行うことができる。
【０１３３】
隔壁（壁部）４の構成材料としては、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、ポリメチルメタクリレート等のアクリル系樹脂、ＡＢＳ樹脂、ＡＳ樹脂、アイオノマー、ポリアセタール、ポリフェニレンサルファイド、ポリエーテルエーテルケトン、天然ゴム、ブチルゴム、イソプレンゴム、ブタジエンゴム、スチレン−ブタジエンゴム、シリコーンゴム、フッ素ゴムのような各種ゴム材料；ジメチルポリシロキサン等のシリコーン系材料；ポリウレタン系、ポリエステル系、ポリアミド系、オレフィン系、スチレン系等の各種熱可塑性エラストマー等が挙げられる。
【０１３４】
また、本実施形態において、ゲルセンサー１０では、第１の領域１の厚さを調整することにより、複数の第２の領域２（２Ａ、２Ｂ、２Ｃ、２Ｄ）が、ゲルセンサー１０の異なる厚さ（深さ）の部位に設けられている。
【０１３５】
このような構成であることにより、例えば、複数のセルで、検体に含まれる所定の刺激に反応するまでの時間（色調が変化するまでの時間）を異なるものとすることができる。その結果、例えば、ゲルセンサー１０全体として、所定の刺激の経時的な変化を好適に表示することができる。より具体的には、例えば、ＴＡ≦ＴＢ≦ＴＣ≦ＴＤの関係を有する場合に、観察時からＴＡ秒前に第１の領域１の第１の面１１に接触した検体中に含まれる所定の刺激の含有量（含有率）を第１のセル（第２の領域２Ａ）において表示し、観察時からＴＢ秒前に第１の領域１の第１の面１１に接触した検体中に含まれる所定の刺激の含有量（含有率）を第２のセル（第２の領域２Ｂ）において表示し、観察時からＴＣ秒前に第１の領域１の第１の面１１に接触した検体中に含まれる所定の刺激の含有量（含有率）を第３のセル（第２の領域２Ｃ）において表示し、観察時からＴＤ秒前に第１の領域１の第１の面１１に接触した検体中に含まれる所定の刺激の含有量（含有率）を第４のセル（第２の領域２Ｄ）において表示することができる。
【０１３６】
各セルの幅は、１．０ｍｍ以上２０ｍｍ以下であるのが好ましく、２．０ｍｍ以上１０ｍｍ以下であるのがより好ましい。
【０１３７】
これにより、ゲルセンサー１０の大型化をより効果的に抑制しつつ、所定の刺激の検出をより容易にかつより高い精度で行うことができる。
【０１３８】
なお、各セルの形状、大きさ（幅等）は、同一であってもよいし、異なるものでなくてもよい。
【０１３９】
《ゲルセンサーの用途》
ゲルセンサーは、所定の刺激を容易に検出することができるため、例えば、被検物（検体）中に特定物質が含まれるか否か、または、被検物中に含まれる特定物質の濃度を測定するセンサーとして用いることができる。
【０１４０】
また、刺激応答性ゲルに取り込まれた特定成分の量を容易に検出することができるので、被検物中に含まれる特定物質を分離・抽出する分離・抽出手段として好適に用いることもできる。すなわち、刺激応答性ゲルに取り込まれた特定成分の量が飽和した段階または飽和しそうな段階で、被検物との接触を中止し、必要に応じて別のゲルセンサーに交換することができる。これにより、被検物から、無駄なく特定成分を回収することができる。
【０１４１】
ゲルセンサーのより具体的な用途としては、例えば、生体物質（例えば、がん細胞、血液細胞等の各種細胞、抗体等のタンパク質（糖タンパク質等を含む）等）のセンサー、体液または体外分泌物（例えば、血液、唾液、汗、尿等）中に含まれる成分（例えば、乳酸、尿酸、糖等）のセンサー、生体物質（特に、ホルモン等の微量生体物質等）の分離・抽出手段、金属（特に、希少金属、貴金属等）の分離・抽出手段、花粉等の抗原（アレルギー物質）のセンサー、毒物、有害物質、環境汚染物質等の分離・抽出手段、ウイルス、細菌等のセンサー、土壌に含まれる成分のセンサー、廃液（排水を含む）に含まれる成分のセンサー、食品に含まれる成分のセンサー、水中に含まれる成分（例えば、汽水域、河川、水田等に含まれる塩分等）のセンサー、細胞培養モニター等が挙げられる。
また、ゲルセンサーは、生体の皮膚に密着させて用いるものであるのが好ましい。
【０１４２】
生体の皮膚は、一般に複雑な凹凸形状を有しているが、ゲルセンサーは、形状の追従性に優れているため、生体の皮膚に好適に密着させることができる。また、生体の皮膚に密着して用いる場合（例えば、運動時の汗に含まれる成分を特定成分として検出する場合等）、ゲルセンサーに振動や衝撃等の大きな外力が加わることが想定されるが、このような比較的大きな外力が加わった場合であっても、正確に特定成分（所定の刺激）を検出することができ、これを容易に識別することができる。したがって、ゲルセンサーが生体の皮膚に密着させて用いられるものである場合に、効果がより顕著に発揮される。
【０１４３】
また、ゲルセンサーは、小型化、軽量化にも好適に対応可能である。したがって、上記のような方法での使用に適している。
【０１４４】
また、ゲルセンサーは、刺激応答性ゲルの形態（例えば、体積、色調等）の変化を検出する検出装置と組み合わせた検出装置に適用させるものであってもよい。
【０１４５】
これにより、例えば、刺激応答性ゲルの形態の変化を、肉眼で識別するのが困難である場合（例えば、色調変化、体積変化が微小である場合、波長が変化する反射光が可視光領域外の光である場合等）や、より高い精度で刺激の検出（例えば、高い精度が求められる定量的な検出や、微量成分の検出等）が求められる場合であっても、好適に対応することできる。
【０１４６】
以上、本発明の好適な実施形態について説明したが、本発明は、これらに限定されるものではない。
【０１４７】
例えば、前述した実施形態では、ゲルセンサーが、シート状をなすものである場合について代表的に説明したが、ゲルセンサーの形状は、これに限定されず、例えば、板状、ブロック状、紐状、筒状、粒子状等、いかなるものであってもよい。
【０１４８】
また、ゲルセンサーは、前述した以外の構成を備えるものであってもよい。例えば、所定の位置に貼着するための粘着剤層を備えるものであってもよい。
【０１４９】
また、ゲルセンサーは、第１の領域および第２の領域をそれぞれ１つずつ有していればよく、他の構成を備えていなくてもよい。
【０１５０】
また、前述した第１実施形態、第２実施形態、第４実施形態では、第２の領域の検体の下流側（観察者の視点側）の表面が、吸収体、または刺激応答性ゲルで被覆されているものとして説明したが、他の部材（例えば、隔壁の構成材料として例示した各種樹脂材料で構成された部材（例えば、フィルム等））によって被覆されていてもよい。このような場合であっても、前述したのと同様の効果が得られる。
【０１５１】
また、前述した第３実施形態では、２層の第１の領域と、２層の第２の領域とを有し、これらが交互に積層された構成について説明したが、積層構造を有する場合において、第１の領域の数（層数）、第２の領域の数（層数）は、例えば、３層以上であってもよい。
【０１５２】
また、前述した第４実施形態では、隣り合うセルの間に、隔壁が設けられている場合について説明したが、隔壁はなくてもよい。例えば、隔壁がなく、隣り合うセルがその側面において接触していてもよいし、隣り合うセルの間に空隙が設けられていてもよい。
【０１５３】
また、前述した第４実施形態では、セルの数が４つである場合について代表的に説明したが、セルの数は、特に限定されず、例えば、３つ以下であってもよいし、５つ以上であってもよい。
【符号の説明】
【０１５４】
１０…ゲルセンサー
１…第１の領域
１ａ、１ａＡ、１ａＢ、１ａＣ、１ａＤ…第１の領域
１ｂ、１ｂＡ、１ｂＢ、１ｂＣ、１ｂＤ…第１の領域
１１…面（第１の面）
２…第２の領域
２ａ…第２の領域
２Ａ、２Ｂ、２Ｃ、２Ｄ…第２の領域
２ｂ…第２の領域
２１…微粒子
２２…面（第２の面）
３…吸収部材
４…隔壁（壁部）
【図１】
2016045171.tif 000003
【図２】
2016045171.tif 000004
【図３】
2016045171.tif 000005
【図４】
2016045171.tif 000006